(57)【要約】【課題】接合作業の数を減らすことができる履物製品を提供する。【解決手段】履物製品１０は、着用者の足の少なくとも一部を包むように形成された柔軟なカバー１２を含む。カバーは、内面と外面とを備えたソール領域を有し、内面は着用者の足裏に面するように配置され、外面は逆方向に面するように配置される。更に、カバーはソール領域に複数の孔２２が形成されている。更に本製品は、カバー内に重ね入れられる着脱自在のアウトソール１６を含む。アウトソールは、着用者の足裏に面するように配置された上面と、カバーの内側のソール領域の面に面する下面と、下面に設けられカバーの複数の孔へと突出する複数の突起２０とを有する。【選択図】図１
2007525282.tif 000002
【特許請求の範囲】
【請求項１】
人間の着用者の足に装着されるように構成された製品であって、
足裏に面するように配置された内面、およびこの内面とは反対向きの外面を有するソール領域、ならびに前記ソール領域に形成された複数の孔、を含み、少なくとも足の一部を包むように形成された柔軟なカバーと、
前記ソール領域の前記内面に面する下面および前記下面とは反対向きの上面、ならびに前記下面上に形成され前記複数の孔へと突出する複数の突起、を含み、前記カバー内に重ね入れられる着脱自在のアウトソールとを具備する製品。
【請求項２】
前記複数の突起と前記複数の孔とは、前記孔の縁が前記突起に合致し摩擦抵抗により前記突起を保持するような相対的なサイズおよび形状にされていることを特徴とする請求項１に記載の製品。
【請求項３】
前記複数の突起の少なくとも一部が前記複数の孔の少なくとも一部を貫いて突出し、前記複数の突起の前記一部が前記ソール領域の前記外面を越えて延びることを特徴とする請求項１に記載の製品。
【請求項４】
前記カバーが、着用者の足において踝の下を実質的に全部包むように形成され、前記カバーにおいて足の上部および側部を覆うアッパー領域に更なる孔が形成されていることを特徴とする請求項１に記載の製品。
【請求項５】
前記アウトソールは第一材料から形成され、前記カバーは第二材料から形成されていることを特徴とする請求項１に記載の製品。
【請求項６】
前記第二材料が熱可塑性ポリウレタンであることを特徴とする請求項１に記載の製品。
【請求項７】
ソールおよびアッパーを有し、前記カバー内に重ね入れられる着脱自在の上靴を更に具備し、前記上靴の前記ソールが前記アウトソールの前記上面に面することを特徴とする請求項１に記載の製品。
【請求項８】
前記上靴が繊維材料から形成されていることを特徴とする請求項７に記載の製品。
【請求項９】
前記上靴の前記ソールがトラクション面を具備することを特徴とする請求項８に記載の製品。
【請求項１０】
互いに反対向きの上面および下面を有する、着脱自在のインソールを更に具備し、前記インソールの前記下面が前記アウトソールの前記上面に面することを特徴とする請求項７に記載の製品。
【請求項１１】
前記インソールの前記下面が複数の突出部を含み、
前記アウトソールの前記上面に、前記突出部に対応するよう配置され、かつ前記突出部を受ける凹部が形成されている、ことを特徴とする請求項１０に記載の履物製品。
【請求項１２】
前記インソールが、前記上靴内または前記上靴とアウトソールとの間に配置できるサイズにされていることを特徴とする請求項１１に記載の製品。
【請求項１３】
上面および下面を有する着脱自在のインソールを更に具備し、前記インソールの前記下面が前記アウトソールの前記上面に面することを特徴とする請求項１に記載の製品。
【請求項１４】
前記インソールの前記下面が複数の突出部を含み、
前記アウトソールの前記上面に、前記突出部に対応するよう配置され、かつ前記突出部を受ける凹部を有する、ことを特徴とする請求項１３に記載の製品。
【請求項１５】
人間の着用者の足に装着されるように構成された製品であって、
足裏に面するように配置された内面、およびこの内面とは反対向きの外面を有するソール領域、前記ソール領域に取り付けられ、少なくとも足の上部および側部の一部を覆うよう配置されたアッパー領域、ならびに前記ソール領域および前記アッパー領域に形成された複数の孔、を含み、少なくとも足の一部を包むように形成された柔軟なカバーと、
前記ソール領域の前記内面に面する下面、およびこの下面とは反対向きの上面、ならびに前記下面上に設けられ前記複数の孔の一部へと突出する複数の突起と、を含み、前記カバー内に重ね入れられる着脱自在のアウトソールと、
ソールおよびアッパーを有する上靴であって、前記上靴の前記ソールがアウトソールの前記上面に面し、前記カバー内に重ね入れられる着脱自在の上靴と、を具備する製品。
【請求項１６】
前記上靴が繊維材料から形成されていることを特徴とする請求項１５に記載の製品。
【請求項１７】
上面および下面を有する着脱自在のインソールを更に具備し、前記下面が前記アウトソールの前記上面に面することを特徴とする請求項１５に記載の製品。
【請求項１８】
前記インソールが、前記上靴内または前記上靴と前記アウトソールとの間に重ね入れできるサイズにされていることを特徴とする請求項１７に記載の製品。
【請求項１９】
前記インソールの前記下面が複数の突出部を含み、
前記アウトソールの前記上面に前記突出部に対応するよう配置され、かつ前記突出部を受ける凹部を有する、ことを特徴とする請求項１８に記載の製品。
【請求項２０】
履物製品であって、
上靴と、
前記上靴を収容できるサイズにされ、前記上靴を繰り返し着脱できるよう構成された穿孔カバーと、
前記カバーと前記上靴との間に着脱自在であり、前記上靴と前記カバーとの間に配置される際に、対応する前記カバーの穿孔と重なり合い前記穿孔を突き抜けて突出する複数の延長部分を有する中間部材と、を具備する履物製品。
【請求項２１】
前記複数の延長部分が、少なくとも１００個の延長部分を具備することを特徴とする請求項２０に記載の製品。
【請求項２２】
当該製品を履いた人間が歩行する際、前記延長部分が接地するよう配置されていることを特徴とする請求項２０に記載の製品。
【請求項２３】
前記カバーが、前記複数の延長部分を上回る数の穿孔を含むことを特徴とする請求項２０に記載の製品。
【発明の詳細な説明】
【技術分野】
【０００１】
本発明は、履物製品に関するものである。具体的には、本発明は任意に着脱または交換可能な複数の構成部品を有する履物製品に関するものである。
【背景技術】
【０００２】
履物は、しばしば特定の活動に関連して機能的な役割をはたす。履物の機能として最もよく知られた例の１つは、外部環境からの着用者の足の保護である。具体的には、人は自分の足底を自分が歩く表面から保護するために靴を履く。更に、履物は、着用者が歩く際の追加のトラクション（牽引）作用、着用者の足のサポート作用、暖気、等を提供することができる。履物はしばしばこれらおよび他の機能を種々の程度に担う。例えば、人は屋外を歩く際には相対的に頑丈な靴を必要とすることもあるが、屋内を歩く際には軽い上靴だけで十分である。
【０００３】
履物が担う多様な機能のため、人はしばしば各種状況での使用向けに設計された靴を複数足所有する。これは不便な場合もある。種類の異なる靴の使用が適切な多様な環境に遭遇すると予想される場合、現在履いている靴に加えて一足以上の靴を持ち運ばざるを得なくなるかもしれない。
多くの分野でもそうあるように、製造加工は履物業界においても多くの課題を呈する。上述したように、着用者の足をサポートするため、トラクション作用を与えるためおよび／または耐久性のため、靴はしばしばアウトソール領域で頑丈な表面を必要とする。
【発明の開示】
【発明が解決しようとする課題】
【０００４】
しかし、往々にして靴の他の部分はより柔らかくかつより可撓性を有することが望ましい。これら異なる要件のため、靴はしばしば多種類の材料から製造される。これらの多様な材料は通常何らかの方法、例えば縫合、接着等で接合される。異なる種類の構成部品を接合するには、しばしば追加の製造工程を要する。接合作業の数を減らせば製造工程は減り、結果としてコストが削減される。
【０００５】
使い古した靴の処分は、履物業界におけるまた別の課題である。靴の商品寿命の最後には、接合された構成部品は大抵分離されなければならない。具体的には、靴の構成に用いられる異なる材料は大抵それぞれ異なるリサイクル要件を有する。接着、縫合、または他の方法で接着された構成部品の分離は、リサイクルの不便および負担を増す。リサイクルの便宜が良くなければ、単純に靴をリサイクルされないゴミと一緒に捨てることもある。靴がより簡単に個々の構成部品に分離出来れば、人はその靴をリサイクルする気になるだろう。
【０００６】
本発明は、上記および他の課題に対処する。
【課題を解決するための手段】
【０００７】
少なくとも１つの実施形態において、本発明はいくつかの構成部品を有する靴を含む。着用者は任意にこれらの構成部品を分離し、次にいくつかまたは全ての構成部品を再び組み合わせてもよい。１つの実施形態では、本発明は人間の着用者の足に装着されるように構成された製品を含む。本製品は着用者の足の少なくとも一部を包むように形成した柔軟なカバーを含む。カバーは互いに反対向きの外面および内面を有するソール領域を有し、内面は着用者の足裏に面するように配置されている。更にカバーはソール領域に複数の孔を形成してある。本製品はカバー内に重ね入れられる着脱自在のアウトソールを更に含む。アウトソールは互いに反対向きの上面および下面を有し、下面はソール領域の内面に面する。更にアウトソールは下面上に、カバーの複数の孔へと突出する複数の突起を有する。
【０００８】
他の実施形態において、本発明は人間の着用者の足に装着されるように構成された製品を更に含む。本実施形態は、着用者の足の少なくとも一部を包むように形成され、ソール領域を有する柔軟なカバーを更に含む。更にカバーは、ソール領域に取り付けられ、足の上部および側部の少なくとも一部を覆うよう配置されたアッパー領域を有する。ソール領域およびアッパー領域には複数の孔が形成されている。本実施形態は、互いに反対向きである上面および下面、ならびに下面上にカバーの複数の孔の一部へと突出する複数の突起を有し、カバー内に重ね入れられる着脱自在のアウトソールを含む。本実施形態はソールとアッパーとを有し、ソールがアウトソール上面に面する、カバー内に重ね入れられる着脱自在の上靴を更に含む。
【０００９】
本発明の上述のおよび他の特徴および効果は、添付の図面を参照して以下に述べる好適な実施形態の詳細な説明から容易に明らかになり、また十分に理解されるであろう。
本発明の上述の概要、および以下の好適な実施形態の詳細な説明は添付図面とあわせて読むことにより、よりよく理解される。図面は特許請求の範囲に記載されている発明を限定するものとしてではなく、例示として含まれる。
【発明を実施するための最良の形態】
【００１０】
本発明の実施形態は、上述の課題の多くに対処する。少なくとも１つの実施形態において、本発明は着用者が分離できる複数の構成部品を有する靴を含む。着用者は任意にこれらの構成部品のいくつかまたは全てを選択し、組み合わせてもよい。１つの実施形態において、靴は着用者の足を包み、靴の他の構成部品を着脱自在に収める一体型の柔軟な外部カバーを有する。それらの構成部品の１つは、カバーの内側に入り込み、カバーのソール領域（履物の底領域）に据わる。内部上靴構成部品もカバー内に嵌り、アウトソールの上に据わる。インソール構成部品もカバー内側、すなわち上靴内または上靴とアウトソールとの間に嵌め込んでもよい。
【００１１】
図１は、本発明の少なくとも１つの実施形態にかかる組み立てられた靴１０の上部の斜視図である。靴１０は、右靴である（すなわち着用者の右足用に形成されている）。図１の実施形態による左靴は実質的に同様であるが、着用者の左足用に形成されている。靴１０は、一体型の穿孔された外部カバー（または「ケージ」）１２を含む。ケージ１２は、概して着用者の足の踝より下を包み、ケージ表面に多数の孔２２が形成されている。ケージ１２内に含まれているのは上靴（スリッパ）１４である。上靴１４とケージ１２との間に挟み込まれているのはアウトソール１６である。アウトソール１６は図１ではわずかに見えるだけであるが、以降の図ではより明瞭に見える。アウトソール１６は、ケージ１２の下部の孔２２を貫いて突出する複数の突起２０を更に含む。図１では見られないが、靴１０はインソール１８も含む。インソール１８は上靴１４とアウトソール１６との間、または完全に上靴１４内に配置することができ、図９、図１１、図１８、図１８Ａ、図１９および図１９Ａとあわせて以下に更に詳細に説明される。
【００１２】
本発明の理解を容易にするため、図面において靴１０の各構成部品に異なる陰影付け（シェーディング）が用いられている。具体的には、ケージ１２は全図面において陰影（シェーディング）なしで示されている。上靴１４は全図面において、網目模様（メッシュパターン）で示されている。同模様は、繊維面を表すため他の状況において時折用いられる。アウトソール１６は、全図面において点描で示されている。点描および網目模様は図において各構成部品をより明瞭に区別する目的で加えられている。陰影付けはこれらのいかなる構成部品に対しても表面の組織や製造に用いられる材料を制限することを意図するものではない。
【００１３】
図２は、図１の靴の内側（両足の中央側に対応する側）の側面図である。図２で部分的に見られるように、アウトソール１６は（少なくとも、本実施形態において）着用者の足の端でやや上に立ち上がっている。アウトソールの縁３２（図９に関連して記述する）の上端は、図１〜図５および図１５の一部で隠れ線によって示される。図３は、靴１０の外側（両足の外側に対応する側）の側面図である。図４および図５は、それぞれ靴１０の背部および正面の図面である。図６は、靴１０の上面図であり、かかと領域における上靴１４のソール領域内面を示す。以下に更に詳細に説明するが、靴１０はインソール１８が上靴１４内に据わるような代替構成としてもよい。図７は、突起２０がケージ１２のソールの孔２２を貫いて突出しているところを示す靴１０の底面図である。
【００１４】
図８は、ケージ１２のみ（すなわち、アウトソール１６、インソール１８および上靴１４なしで）の斜視図である。ケージ１２は、靴１０内で着用者の足をぴったりと、かつ快適に保持する。少なくともいくつかの実施形態において、また図１４、図１５および図１７で示すように、ケージ１２は足の開口部を除いて完全に着用者の足を包む。以下に更に詳細に述べるが、靴１０の選択された構成部品は全ての構成部品より少ない構成部品を用いて種々の構成に組み合わせてもよい。これらのいくつかの構成において、ケージ１２は構成部品を一体的に保持する機能を果たす。例えば、ケージ１２が図１５で示すようにアウトソール１６と一緒に（上靴１４なしで）着用される場合、ケージ１２はアウトソール１６を着用者の足のソールに押しあてて保持する。
【００１５】
少なくともいくつかの実施形態において、ケージ１２は着用者の足にすっとはけるには十分に柔軟でありながらも、着用者が歩くかもしれない硬い表層との繰返し接触に対して十分に耐久性がある材料から形成されている。少なくとも１つの実施形態において、ケージ１２は熱可塑性ポリウレタン（例えばペンシルバニア州ピッツバーグのバイエル社から入手可能なＤＥＳＭＯＰＡＮ  ９３７０  ＡＵ）から成型される。いくつかの実施形態において、ケージ１２のソール領域は、アッパー領域（すなわち着用者の足の側部および上部を覆っているケージ１２の部分）よりやや厚い。１つの実施形態において、ケージ１２は側部領域および上部領域では約１.５ｍｍ〜約２.０ｍｍの厚みを有し、ソール領域では約２.０ｍｍ〜約２.５ｍｍの厚さを有する。ケージ１２の厚みは、他の実施形態において異なる。ここで示す実施形態において、ケージ１２はその表面の大部分に円形の孔２２が形成されている。少なくともいくつかの実施形態において、孔のサイズは直径約５.０ｍｍ〜直径約１５.０ｍｍにわたる。他の実施形態では孔の直径が約４.５ｍｍ〜約１３.５ｍｍにわたり、更に他の実施形態では孔の直径は５.５ｍｍ〜約１６.５ｍｍにわたる。また更に他の実施形態においては他の大きさの孔を有していてもよい。種々の実施形態において、ケージ１２のソール領域は、約９０個〜約９５個の孔を有する。他の実施形態では、ケージ１２はソール領域に約８０個〜約８６個の孔を有していてもよく、更に他の実施形態ではソール領域に約９９個〜約１０５個の孔を有していてもよい。また更に他の実施形態においてはソール領域の孔の数は異なっていてもよい。同様に、ケージ１２のアッパー領域は、種々の実施形態において約２３０個〜約２３５個の孔を有する。他の実施形態では、ケージ１２はアッパー領域に約２０７個〜約２１２個の孔を有していてもよく、更に他の実施形態ではアッパー領域に約２５３個〜約２５９個の孔を有していてもよい。また更に他の実施形態においてはアッパー領域の孔の数は異なっていてもよい。いくつかの実施形態において、また図８に示すように、孔の数は踝カラー２４近くの領域では減らされている。他の実施形態において、ケージ１２はソール領域の一部もしくは全体でのみ、ソール領域およびアッパー領域の一部もしくは全体でのみ、または他の位置の組合せで孔を形成してもよい。
【００１６】
図９は、アウトソール１６およびインソール１８の上から見た「分解」斜視図である。アウトソール１６は、上面２６と下面２８（図１０）とを有する。突起２０を除き、下面２８はケージ１２のソール領域内面に接触する。下方へ延びる複数の突起２０は、下面２８全体に分布している。アウトソール１６がケージ１２内に配置される場合、突起２０はケージ１２の対応する孔２２を貫いて突出する。突起２０の先端はその後着用者が歩く際、地面に接触し、トラクション（牽引）作用を提供する。いくつかの実施形態において、着用者が比較的硬い表面を歩く際、突起２０だけが地面に接触する。他の実施形態では、突起２０およびケージ１２のソール領域外面の一部が、着用者が比較的硬い表面を歩く際、地面に接触する。突起２０およびそれらの突起２０が貫いて突出するところの対応する孔２２は、相対的なサイズにされている。これは靴１０を組み立てる際、ユーザーがアウトソール１６の上面２６に適度な力を及ぼすことで突起２０をそれぞれ対応する孔２２に押し入れるためである。その結果、突起は、個々の突起が突出する各孔２２の周辺端部において摩擦力により保持される。いくつかの実施形態においては下面２８の全面に突起２０が形成される。他の実施形態においては、例えば下面の一部が滑らかであるか突起がない様に、突起２０は下面２８全面にわたらない範囲で形成されていてもよい。ここに示す実施形態において、突起２０は円形であり、その直径はさまざまである。少なくともいくつかの実施形態において、突起２０の直径は約６.０ｍｍ〜約１３.０ｍｍにわたる。他の実施形態では突起２０の直径は約５.４ｍｍ〜約１１.７ｍｍにわたり、更に他の実施形態では突起２０の直径は約６.６ｍｍ〜約１４.３ｍｍにわたる。また更に他の実施形態では突起２０は他の大きさの直径を持っていてもよい。非円形の突起を有する実施形態において、同様な突起先端の表面積を有する寸法であれば用いることができ、丸みのあるもの、先がとがったものおよび他の形の突起先端も本発明の範囲にある。種々の実施形態において、アウトソール１６は約１０４個の突起を有する。他の実施形態では、アウトソール１６は約９０個〜約９５の突起を有していてもよく、更に他の実施形態では約１１０個〜約１１５個の突起を有していてもよい。また更に他の実施形態では、他の数の突起を有していてもよい。突起は、規則的なパターンで配置される必要はない。着用者に更なるサポート作用を提供するため、下面２８のかかと領域の特定の突起２０は、下面２８の他の領域に配置された突起２０よりやや高い。少なくともいくつかの実施形態において、突起２０の高さ（突起が下面２８と交わる点から突起の接地面までを測ったもの）は約３.０ｍｍ〜約８.５ｍｍにわたる。いくつかの実施形態では突起２０の高さは約２.７ｍｍ〜約７.７ｍｍにわたる。他の実施形態では突起２０の高さは約３.３ｍｍ〜約９.４ｍｍにわたる。更に他の実施形態では他の高さの突起を有していてもよい。
【００１７】
前述したように、突起２０は他の実施形態では他の形および／またはサイズを有していてもよい。図２０は、２つの代替実施形態を示す。図２０の左側は、本発明の別の実施形態にかかる靴１０’のかかと領域の底面図を示す。靴１０’のケージ１２’は、四角い突起２０’がそこから突出する複数の四角い孔２２’を有する。図２０の右側は、本発明の更に別の実施形態にかかる靴１０’’の足の中央領域およびつま先領域の底面図を示す。靴１０’’のケージ１２’’は、六角形の突起２０’’がそこから突出する複数の六角形の孔２２’’を有する。ある実施形態では突起２０の形が２つ以上あってもよい。異なるサイズおよび／または形の突起を有する実施形態において、ケージ１２の対応する孔は同様に異なるサイズおよび／または形を有することができる。
【００１８】
図９に見られるように、アウトソール１６は上面２６を囲む縁３２を有する。いくつかの実施形態において、縁３２はつま先領域およびかかと領域でやや大きくなっている。以下に更に詳細に説明するが、ケージ１２とアウトソール１６とは上靴１４なしで着用してもよい。このような構成の場合、高くなったつま先領域およびかかと領域は着用者に一層の防護を施すことができる。複数の凹部３４が上面２６に分布している。凹部３４は、インソール１８の下面３８（図１１）の突出部３６に対応している。ある構成では、インソール１８はアウトソール１６の上面２６と縁３２とにより形成される領域に重ね入れられる。この構成の場合、突出部３６は凹部３４に嵌まり込む。
【００１９】
少なくとも１つの実施形態において、アウトソール１６は圧縮成型ゴムのような耐磨耗性材料から成型される。好ましくは、アウトソール１６は１つの材料から成型される。しかしながらある実施形態においては、アウトソール１６は複数の材料から成形されてもよい（例えば、接地する突起２０の先端にはより耐磨耗性を有する材料を用い、アウトソールの他の部分にはより柔軟な材料を用いる）。少なくとも１つの実施形態において、インソール１８はポリウレタンから成型される。
【００２０】
図１２は、上靴１４の上から見た斜視図である。１つの実施形態において、上靴１４は繊維材料から形成されている。いくつかの実施形態において、「ブーティー（ブーツ）」靴の構成部品の形成に一般的に用いられる１つ以上の織物が用いられる。ある実施形態では、ＬＹＣＲＡ（デラウェア州ウィルミントンのデュポン社から入手可能）のような伸長可能な繊維、またはＬＹＣＲＡ／ネオプレンの組合せが用いられる。いくつかの実施形態において、上靴１４は靴型の周囲を１枚以上のシートまたは他の形態の材料で包み、１箇所以上の合わせ目４０で接合して形成される。合わせ目４０は、縫合、高周波溶接または他の適切な技術で接合される。いくつかの実施形態において、踝カラー４２はシールおよび／または縫合される。かかとタブ４４は、縫合、高周波溶接、接着または他の適切な技術で付着される。かかとタブ４４は革または同様の材料から形成されてもよく、上靴１４のソールまで延びる細長片（図示せず）を含んでもよい。他の実施形態において、かかとタブは含まれず、革または同様の材料の細長片のみが上靴の後側に付着される。図１３は、上靴１４の底面図である。ある実施形態においては、滑りやすい屋内表層上を歩く際にトラクション作用を提供するため、また下面４６の早期摩耗を防止するために、追加のトラクションパッド４５（破線で示される）が下面４６に付着されてもよい。このようなトラクションパッド用の材料にはゴムコート繊維が含まれる。他の実施形態では下面４６はゴムコート繊維、または他の耐久性および／もしくは高摩擦素材から形成される。更に他の実施形態では、下面４６の材料からトラクションパッドを形成するためにレーザエッチングが実施される。
【００２１】
ケージ１２、アウトソール１６、上靴１４およびインソール１８の種々の組み合せは、着用者に対し異なる状況に適切な履物を提供する。図１４に示される１つの構成において、ケージ１２のみを着用してもよい。図１４の構成は、着用者がいくばくかのソール保護および／もしくはトラクション作用を必要とし、または足の上部に多少の保護を要するが、孔２２により砂および他の物質をケージ１２内から簡単に洗い落とせるといった、浜辺または他の水辺の環境に有益である。
【００２２】
図１５の構成において、アウトソール１６なしでケージ１２を着用してもよい。図１５の構成は、少なくとも２つの変形例を含む。１つの変形例では、アウトソール１６はインソール１８なしでケージ１２内に組み入れられる。別のバリエーションでは、例えば着用者がソール領域に一層のサポート作用を求めるのであれば、ケージ１２とアウトソール１６とに加えてインソール１８をも含めてもよい（この場合も上靴１４はなし）。図１５の構成は、着用者が追加のサポート機能、ソール保護および／またはトラクション作用を要するといった場合の、浜辺または他の水辺の環境にも有益である。図１５の構成は、サンダル型の靴としての使用にも適している。
【００２３】
図１６の構成において、ケージ１２またはアウトソール１６なしで上靴１４を着用してもよい。この構成の場合、インソール１８は上靴１４内に挿入されていても挿入されていなくてもよい。図１６の構成は例えば屋内での着用に適している。別の構成が図１７に示される。この構成の場合、上靴１４（上靴内におけるインソール１８の有無にかかわらず）はケージ１２有りアウトソール１６なしで着用される。
【００２４】
図１８は、一つの完全に組み立てられた構成の靴１０の断面図である。図１８の構成において、アウトソール１６はケージ１２のソール領域内面に据わる。突起２０は、ケージ１２のソール領域の孔２２を貫いて突出する。限られた数の突起２０も、ケージ１２のソール領域およびアッパー領域の境界上または近傍の孔２２を貫いて突出する。インソール１８はアウトソール１６の上に直接重ねられており、突出部３６は対応する凹部３４に据わる。明確にするため、図１８および図１８Ａでは各突出部３６とそれぞれの突出部に対応する凹部３４との間に小さな空間を表示する。しかしながらいくつかの実施形態において、突出部３６と突出部に対応する凹部３４とは接触していてもよい。次に上靴１４の下面４６はインソール１８上に据わる。図１８Ａは図１８の断面の一部を拡大した図であり、ケージ１２、アウトソール１６、インソール１８および上靴１４の相対的な配置を示す。少なくともいくつかの実施形態において、凹部３４は通常（図１８および図１８Ａに示すように）対応する突起２０に位置合わせをされる。他の実施形態において、いくつかまたは全ての凹部２０は対応する突起と位置が合わない。
【００２５】
図１９は、完全に組み立てられた代替構成の靴１０の断面図である。図１９の構成は大略的に図１８の構成と類似しているが、インソール１８は上靴１４内に収容されている。すなわち、上靴１４の下面４６はアウトソール１６の上面２６に直接据わる。図１９の構成において、着用者（図示せず）の重量により、インソール１８上の突出部３６が上靴１４の材料をアウトソール１６の凹部３４に押し込むこととなる。このことにより上靴１４はアウトソール１６およびケージ１２に相対的に固定される。図１９Ａは図１９の断面の一部を拡大した図であり、ケージ１２、アウトソール１６、上靴１４およびインソール１８の相対的な配置を示す。
【００２６】
いくつかの実施形態において、靴１０の構成部品のいくつかまたは全ては、靴の有効寿命の最後にリサイクルが容易になるよう製造される。具体的には、ケージ１２は第１の材料（またはリサイクル要件が類似した材料の組合せ）から作られ、アウトソール１６は第２の材料（またはリサイクル要件が類似した材料の組合せ）から作られる。インソール１８も１つの材料（またはリサイクル要件が類似した材料の組合せ）から作られるが、その材料はアウトソール１６の材料と同じであってもなくてもよい。いくつかの実施形態において、上靴１４も１つの材料から、またはリサイクル要件が類似した材料の組合せから形成されてもよい。このように、靴１０の構成部品はリサイクルのために容易に切り離すことができる。他の実施形態においては、ケージ１２、上靴１４、アウトソール１６およびインソール１８のうち１つ以上がリサイクル要件が類似しない複数の材料から作られる。
【００２７】
前述したように、各々の構成部品は種々の代替実施形態により製造され得る。例えば、より軽い用途（および／または着用者の特定の好み）を意図する靴１０の実施形態においては、より耐久性を要する用途（および／または着用者の他の好み）を意図する実施形態と比較してより柔軟でより耐磨耗性がある第１の材料から形成されるケージ１２を含めてもよい。同様に、アウトソール１６は特定の用途および／もしくは着用者の好みに合った、より柔軟な材料から製造されてもよいし、かつ／またはより小さく、より短くかつ／もしくはより少ない突起を有してもよい。より耐久性を要する状況（および／もしくは着用者の他の好み）に合わせて、アウトソール１６はより硬い材料から作ってもよいし、かつ／またはより大きく、より高くかつ／もしくはより多くの突起を有してもよい。インソール１８も、靴の使用目的または着用者の好み（例えば、一部の着用者はより柔軟なインソールを好み、一方他の着用者はより硬いインソールを好むこともあり得る）により、複数の材料から作られてもよい。異なる形（例えば足をしっかりとサポートするための矯正用の表面）も組み入れることができる。上靴１４は、温暖な気候での使用には、より薄くより軽い材料から作られてもよいし、寒冷な気候での使用には、より厚くかつ／または着用することでより暖かい材料から作られてもよい。靴が主に屋外で着用されるのであれば、より耐久性のある材料から作り、靴が主に屋内で着用されるのであれば耐久性はより少ないがよりお洒落な材料から作る、等着用者の好みに基づいて異なる材料から作ってもよい。ケージ１２、アウトソール１６および／またはインソール１８は透明でも、半透明でも、不透明でもよく、様々な色で製造してもよい。同様に、上靴１４も種々の色で製造してもよい。
【００２８】
靴１０の種々の構成部品が任意に取り外しできかつ再び組み合わせることができるため、異なる靴の構成部品を更に組み合わせることができる。例えば、アッパーに孔がない厚めのケージ１２、相対的に長い突起を有するアウトソール１２、および寒冷な気候用の材料から作られた上靴を備える１対の靴１０を所有する人がいるとする。その人は、次にアッパーに孔が有り厚みの少ないケージ１２、短めの突起を有するアウトソール１２、および温暖な気象用の材料から作られた上靴を備えるもう１対の靴１０を所有するかもしれない。その人は、その後更に特化した靴を１足得るために２組の靴から種々の構成部品を組み合わせることができる。同様に、異なる色の靴１０を何足か所有している人は、異なる色の組合せを得るためにこれらの靴から構成部品を組み合わせることができる。
【００２９】
本発明の特定の実施形態が図示かつ説明されたが、当業者には種々の変更が思い当たるであろう。したがって、本明細書で説明された発明の範囲は、添付の特許請求の範囲によってのみ制限される。
【図面の簡単な説明】
【００３０】
【図１】本発明の少なくとも１つの実施形態にかかる組み立てられた靴の上から見た斜視図である。
【図２】図１の組み立てられた靴の内側の側面図である。
【図３】図１の組み立てられた靴の外側の側面図である。
【図４】図１の組み立てられた靴の背部から見た側面図である。
【図５】図１の組み立てられた靴の正面から見た側面図である。
【図６】図１の組み立てられた靴の上面図である。
【図７】図１の組み立てられた靴の底面図である。
【図８】図１の靴のケージ構成部品の上から見た斜視図である。
【図９】図１のインソール構成部品およびアウトソール構成部品の上から見た「分解」斜視図である。
【図１０】図１の靴のアウトソール構成部品の底面図である。
【図１１】図１の靴のインソール構成部品の底面図である。
【図１２】図１の靴の上靴構成部品の斜視図である。
【図１３】図１の靴の上靴構成部品の底面図である。
【図１４】着用者の足を破線で示した、図１の靴のケージ構成部品の上から見た斜視図である。
【図１５】着用者の足を破線で示した、ケージ構成部品およびアウトソール構成部品の上から見た斜視図である。
【図１６】着用者の足を破線で示した、図１の靴の上靴構成部品の上から見た斜視図である。
【図１７】着用者の足を破線で示した、ケージ構成部品および上靴構成部品の上から見た斜視図である。
【図１８】第一の構成で完全に組み立てられた靴の内側の断面図である。
【図１８Ａ】図１８の断面の一部を拡大した図である。
【図１９】第２の構成で完全に組み立てられた靴の内側の断面図である。
【図１９Ａ】図１９の断面の一部を拡大した図である。
【図２０】本発明の２つの代替実施形態を示す分割図である。
【図１】
2007525282.tif 000003
【図２】
2007525282.tif 000004
【図３】
2007525282.tif 000005
【図４】
2007525282.tif 000006
【図５】
2007525282.tif 000007
【図６】
2007525282.tif 000008
【図７】
2007525282.tif 000009
【図８】
2007525282.tif 000010
【図９】
2007525282.tif 000011
【図１０】
2007525282.tif 000012
【図１１】
2007525282.tif 000013
【図１２】
2007525282.tif 000014
【図１３】
2007525282.tif 000015
【図１４】
2007525282.tif 000016
【図１５】
2007525282.tif 000017
【図１６】
2007525282.tif 000018
【図１７】
2007525282.tif 000019
【図１８】
2007525282.tif 000020
【図１８Ａ】
2007525282.tif 000021
【図１９】
2007525282.tif 000022
【図１９Ａ】
2007525282.tif 000023
【図２０】
2007525282.tif 000024
【国際調査報告】
2007525282.tif 000025
2007525282.tif 000026